(57)【要約】  【構成】  リモコン装置１２の側面に設けられたスイッチ４４は、外力が付加されたときオン状態に遷移し、外力が解除されたときオフ状態に遷移する。スイッチ４４がオン状態となると、番組映像信号および番組音声信号が本体装置１２からリモコン装置１４に送信され、番組映像および番組音声がＬＣＤ３８およびスピーカ４２からそれぞれ出力される。スイッチ４４がオフ状態となると、操作パネル映像がＬＣＤ３８に表示され、スピーカ４２がオフされる。  【効果】  オペレータは、リモコン装置を手にしてスイッチに外力を付加することで、ＴＶモニタが見えない場所でも、リモコン装置によって番組映像を鑑賞することができる。【選択図】  図１
2005236704.tif 000002
【特許請求の範囲】
【請求項１】
番組映像信号をメインディスプレイに出力する本体装置と前記本体装置の動作を遠隔的に制御する遠隔制御装置とを備える映像出力システムにおいて、
前記本体装置は、
前記番組映像信号を前記遠隔制御装置に送信する送信手段を備え、
前記遠隔制御装置は、
前記本体装置から前記番組映像信号を受信する受信手段、
遠隔制御操作のための操作画面映像信号を発生する発生手段、
外力が付加されたとき第１状態に遷移し、前記外力が解除されたとき第２状態に遷移するスイッチ、
前記スイッチが第１状態のとき前記受信手段によって受信された番組映像信号を選択し、前記スイッチが前記第２状態のとき前記発生手段によって発生した操作画面信号を選択する選択手段、および
前記選択手段によって選択された信号に基づく映像を表示する表示手段を備えることを特徴とする、映像出力システム。
【請求項２】
前記遠隔制御装置は前記スイッチの状態を前記本体装置に通知する通知手段をさらに備え、
前記本体装置は前記通知手段の通知に応じて動作を変更する変更手段をさらに備える、請求項１記載の映像出力システム。
【請求項３】
前記変更手段は前記通知手段の通知が前記第１状態を示すとき前記ディスプレイモニタを不能化する第１不能化手段をさらに備える、請求項２記載の映像出力システム。
【請求項４】
前記変更手段は前記通知手段の通知が前記第２状態を示すとき前記送信手段を不能化する第２不能化手段を含む、請求項２または３記載の映像出力システム。
【請求項５】
前記本体装置は前記通知手段の通知に対して承認信号を前記遠隔制御装置に返送する返送手段をさらに備える、請求項２ないし４のいずれかに記載の映像出力システム。
【請求項６】
前記スイッチは前記遠隔制御装置が左手で把持されたときに前記左手が接触する位置に設けられる、請求項１ないし５のいずれかに記載の映像出力システム。
【請求項７】
前記送信手段は前記番組映像信号に加えて番組音声信号を送信し、
前記遠隔制御装置は前記スイッチが前記第１状態のときに前記番組音声信号を出力する音声出力手段をさらに備える、請求項１ないし６のいずれかに記載の映像出力システム。
【発明の詳細な説明】
【技術分野】
【０００１】
この発明は、映像出力システムに関し、特にたとえば、番組映像信号をメインディスプレイに出力する本体装置と本体装置の動作を遠隔的に制御する遠隔制御装置とを備える、映像出力システムに関する。
【背景技術】
【０００２】
従来のこの種の映像出力システムの一例が、特許文献１に開示されている。この従来技術は、赤外線コードがリモコン装置から本体装置に送信されると、受信チャネルや音量などの本体装置の動作設定が変更される。これによって、ＴＶモニタから離れた場所でも、番組を快適に視聴することができる。
【特許文献１】特開２００２−３３０３０７号公報［Ｈ０４Ｎ  ５／００，５／４４，５／４４５，Ｈ０４Ｑ  ９／００］
【発明の開示】
【発明が解決しようとする課題】
【０００３】
しかし、従来技術では、ＴＶモニタが見えなくなる場所への一時的な移動が必要となったとき、番組映像を部分的に見落としてしまう。
【０００４】
それゆえに、この発明の主たる目的は、番組映像の見落としを防止できる、映像出力システムを提供することである。
【課題を解決するための手段】
【０００５】
請求項１の発明に従う映像出力システムは、番組映像信号をメインディスプレイに出力する本体装置と本体装置の動作を遠隔的に制御する遠隔制御装置とを備える映像出力システムにおいて、本体装置は、番組映像信号を遠隔制御装置に送信する送信手段を備え、遠隔制御装置は、本体装置から番組映像信号を受信する受信手段、遠隔制御操作のための操作画面映像信号を発生する発生手段、外力が付加されたとき第１状態に遷移し、外力が解除されたとき第２状態に遷移するスイッチ、スイッチが第１状態のとき受信手段によって受信された番組映像信号を選択し、スイッチが第２状態のとき発生手段によって発生した操作画面信号を選択する選択手段、および選択手段によって選択された信号に基づく映像を表示する表示手段を備えることを特徴とする。
【０００６】
本体装置は、番組映像信号をメインディスプレイに出力する。遠隔制御装置は、かかる本体装置の動作を遠隔的に制御する。
【０００７】
本体装置は、番組映像信号を遠隔制御装置に送信する送信手段を備え、遠隔制御装置は、本体装置から番組映像信号を受信する受信手段と、操作画面信号を発生する発生手段とを備える。遠隔制御装置のスイッチは、外力が付加されたとき第１状態に遷移し、外力が解除されたとき第２状態に遷移する。
【０００８】
スイッチが第１状態であれば受信手段によって受信された番組映像信号が選択され、スイッチが第２状態であれば発生手段によって発生した操作画面信号が選択手段によって選択される。遠隔制御装置の表示手段は、選択手段によって選択された信号に基づく映像を表示する
したがって、スイッチに外力が付加されれば、番組映像が遠隔制御装置の表示手段に表示され、外力が解除されると、操作画面映像が遠隔制御装置の表示手段に表示される。これによって、オペレータは、遠隔制御装置を手にしてスイッチに外力を付加することで、メインディスプレイが見えない場所でも遠隔制御装置によって番組映像を鑑賞することができる。
【０００９】
請求項２の発明に従う映像出力システムは、請求項１に従属し、遠隔制御装置はスイッチの状態を本体装置に通知する通知手段をさらに備え、本体装置は通知手段の通知に応じて動作を変更する変更手段をさらに備える。
【００１０】
請求項３の発明に従う映像出力システムは、請求項２に従属し、変更手段は通知手段の通知が第１状態を示すときディスプレイモニタを不能化する第１不能化手段をさらに備える。これによって、ディスプレイモニタが空き状態となり、別の用途への使用が可能となる。
【００１１】
請求項４の発明に従う映像出力システムは、請求項２または３に従属し、変更手段は通知手段の通知が第２状態を示すとき送信手段を不能化する第２不能化手段を含む。これによって、無駄な送信を防止することができる。
【００１２】
請求項５の発明に従う映像出力システムは、請求項２ないし４のいずれかに従属し、本体装置は通知手段の通知に対して承認信号を遠隔制御装置に返送する返送手段をさらに備える。これによって、スイッチの状態と本体装置の動作との間にずれか生じるのを防止することができる。
【００１３】
請求項６の発明に従う映像出力システムは、請求項１ないし５のいずれかに従属し、スイッチは遠隔制御装置が左手で把持されたときに左手が接触する位置に設けられる。これによって、無理な姿勢をとることなく、番組映像を遠隔制御装置によって鑑賞することができる。
【００１４】
請求項７の発明に従う映像出力システムは、請求項１ないし６のいずれかに従属し、送信手段は番組映像信号に加えて番組音声信号を送信し、遠隔制御装置はスイッチが第１状態のときに番組音声信号を出力する音声出力手段をさらに備える。
【発明の効果】
【００１５】
この発明によれば、オペレータは、遠隔制御装置を手にしてスイッチに外力を付加することで、メインディスプレイが見えない場所でも遠隔制御装置によって番組映像を鑑賞することができる。つまり、番組映像の見落としを防止できる。
【００１６】
この発明の上述の目的，その他の目的，特徴および利点は、図面を参照して行う以下の実施例の詳細な説明から一層明らかとなろう。
【発明を実施するための最良の形態】
【００１７】
図１を参照して、この実施例のテレビジョン受信機（映像出力システム）１０は、本体装置１２およびリモコン装置１４を備える。本体装置１２は、ＴＶモニタ５０と接続される。
【００１８】
本体装置１２に設けられた赤外線受発光装置２８は、リモコン装置１４から送信された赤外線コードをＣＰＵ２６に与える。赤外線コードがチャネル切換に関するキー操作情報を含むとき、ＣＰＵ２６は、このキー操作情報が示すチャネルの選局をチューナ１６に命令する。赤外線コードが音声レベル切換に関するキー操作情報を含むとき、ＣＰＵ２６は、このキー操作情報が示す音声レベルの設定を信号処理回路１８に命令する。赤外線コードがモード情報を含むとき、ＣＰＵ２６は、このモード情報が示す動作モードに従ってセレクタ２０を制御する。モード情報が“リモコンモード”を示すとき、セレクタ２０はＴＶモニタ５０を選択し、モード情報が“番組出力モード”を示すとき、セレクタ２０はエンコーダ２２を選択する。
【００１９】
なお、モード情報を受信したとき、ＣＰＵ２６は、ＡＣＫ（Acknowledge）の返送を赤外線受発光装置２８に命令する。ＡＣＫを含む赤外線コードは、リモコン装置１４に向けて送信される。
【００２０】
チューナ１６は、ＣＰＵ２６によって命令されたチャネルを選局し、選局されたチャネルの放送信号を信号処理回路１８に与える。信号処理回路１８は与えられた放送信号を番組映像信号および番組音声信号に変換し、かつ番組音声信号のレベルをＣＰＵ２６の命令に従って調整する。
【００２１】
リモコンモードでは、番組映像信号および番組音声信号はＴＶモニタ５０に向けて出力される。一方、番組出力モードでは、番組映像信号および番組音声信号は、エンコーダ２２に与えられる。エンコーダ２２は、与えられた番組映像信号および番組音声信号をエンコードし、無線送信機２４は、エンコード信号をリモコン装置１４に向けて送信する。
【００２２】
リモコン装置１４に設けられた無線受信機３０は、無線送信機２４から送信されたエンコード信号を受信する。受信されたエンコード信号はデコーダ３２によってデコードされ、デコードされた番組映像信号および番組音声信号はセレクタ３６およびスピーカ４２にそれぞれに与えられる。一方、キャラクタジェネレータ３４は、操作パネル映像に対応するキャラクタ信号を出力する。
【００２３】
ＣＰＵ４６は、スイッチ４４がオフ状態のときリモコンモードを設定し、スイッチ４４がオン状態のとき番組出力モードを設定する。リモコンモードでは、キャラクタジェネレータ３４がセレクタ３６によって選択され、スピーカ４２がオフされる。この結果、キャラクタ信号がセレクタ３６からＬＣＤ３８に与えられ、図３（Ａ）に示す操作パネル映像が画面に表示される。一方、番組出力モードでは、デコーダ３２がセレクタ３６によって選択され、スピーカ４２がオンされる。この結果、セレクタ３６によって選択された番組映像信号に基づく番組映像が図３（Ｂ）に示す要領でＬＣＤ３８の画面に表示され、番組音声がスピーカ４２から出力される。
【００２４】
ＣＰＵ４６はまた、動作モードが変更されたとき、変更後の動作モードを示すモード情報を赤外線受発光装置４８に与える。赤外線受発光装置４８は、与えられたモード情報を含む赤外線コードを本体装置１２に向けて送出する。ＡＣＫを含む赤外線コードが赤外線受発光装置４８によって受光されると、モード情報を含む赤外線コードの送出が中止される。換言すれば、モード情報は、本体装置１２からＡＣＫが返送されるまで繰り返し送出される。
【００２５】
図２を参照して、リモコン装置１４は板状に形成され、スイッチ４４は左側面に設けられる。したがって、オペレータが左手によってリモコン装置１４の左側を把持するとスイッチ４４がオンされ、オペレータが左手をリモコン装置１４から離すとスイッチ４４がオフされる。
【００２６】
図３（Ａ）を参照して、操作パネル映像は、テンキー３８ａ，チャネル更新キー３８ｂおよび音量更新キー３８ｃによって形成される。オペレータがかかる操作パネル映像に指を触れると、このときの加圧が圧力センサ４０によって検知される。圧力センサ４０からは、加圧位置を示す座標データが出力される。ＣＰＵ４６は、圧力センサ４０からの座標データに基づいて操作キーを特定し、特定されたキーに対応するキー操作情報を赤外線受発光装置４８に与える。赤外線受発光装置４８は、与えられたキー操作情報を含む赤外線コードを本体装置１２に向けて送出する。
【００２７】
リモコン装置１４に設けられたＣＰＵ４６は、図４に示すフロー図に従う処理を実行し、本体装置１２に設けられたＣＰＵ２６は、図５に示すフロー図に従う処理を実行する。
【００２８】
図４を参照して、ステップＳ１ではスイッチ４４がオフ状態であるか否かを判別する。オフ状態であればステップＳ３に進み、フラグ２６ｆがリセット状態であるか否かを判別する。フラグ２６ｆは、現在の動作モードがリモコンモードおよび番組出力モードのいずれであるかを判別するためのフラグであり、セット状態がリモコンモードに対応し、リセット状態が番組出力モードに対応する。
【００２９】
ステップＳ３でリセット状態と判別されると、番組出力モードが既に設定されているとみなし、そのままステップＳ１５に移行する。これに対して、ステップＳ３でセット状態と判別されると、リモコンモードから番組出力モードに移行するべく、ステップＳ５〜Ｓ１３の処理を実行する。
【００３０】
まずステップＳ５でキャラクタジェネレータ３４の選択をセレクタ３６に要求し、ステップＳ７でスピーカ４２をオフする。ステップＳ９では、赤外線受発光装置４８を用いて、“リモコンモード”を示すモード情報を本体装置１２に送信する。ステップＳ５の処理によって、図３（Ａ）に示す操作パネル映像がＬＣＤ３８に表示され、ステップＳ７の処理によって、スピーカ４２からの番組音声の出力が中止される。また、ステップＳ９の処理によって、本体装置１２のセレクタ２０がＴＶモニタ５０を選択する。
【００３１】
ステップＳ１１では、本体装置１２からＡＣＫが返送されたか否か判別する。ここでＮＯであればステップＳ９に戻り、ＹＥＳであればステップＳ１３でフラグ２６ｆをリセットする。これによって、ＡＣＫが返送されるまでステップＳ９の処理が繰り返される。
【００３２】
ステップＳ１５では、画面操作が行われたか否か判別する。座標データが圧力センサ４０から出力されるとステップＳ１５でＹＥＳと判断し、ステップＳ１７に進む。ステップＳ１７では、この座標データから図３（Ａ）に示すいずれのキーが操作されたかを特定し、特定したキーに対応するキー操作情報を本体装置１２に送信する。本体装置１２は、与えられたキー操作情報に従って動作設定を変更する。ステップＳ１５でＮＯと判断されるか、ステップＳ１７の処理が完了すると、ステップＳ１に戻る。
【００３３】
ステップＳ１でＮＯと判断されたときはステップＳ１９に進み、フラグ２６ｆがセット状態であるか否かを判別する。そして、セット状態であればリモコンモードへの移行が完了しているとみなしてステップＳ１に戻るが、リセット状態であればリモコンモードへ移行するべくステップＳ２１〜Ｓ２９の処理を実行する。
【００３４】
ステップＳ２１では、“番組出力モード”を示すモード情報を本体装置１２に送信し、ステップＳ２３では、本体装置１２からＡＣＫが返送されたか否か判別する。ＡＣＫが返送されなければステップＳ２１の処理を繰り返し、ＡＣＫが返送されるとステップＳ２５でフラグ２６ｆをセットする。ステップＳ２１の処理によって、本体装置１２の無線送信機２４からデコード信号が送信される。送信されたデコード信号は、無線受信機３０によって受信され、デコーダ３２によってデコードされる。
【００３５】
ステップＳ２７ではデコーダ３２の選択をセレクタ３６に命令し、ステップＳ２９ではスピーカ４２をオンする。デコードされた番組映像信号はステップＳ２７の処理によってＬＣＤ３８から出力され、デコードされた番組音声信号はステップＳ２９の処理によってスピーカ４２から出力される。ステップＳ２９の処理が完了すると、ステップＳ１に戻る。
【００３６】
図５を参照して、ステップＳ３１では初期設定を行う。具体的には、前回選局されていたチャネルをチューナ１６に設定し、ＴＶモニタ５０の選択をセレクタ２０に要求する。チューナ１６は設定されたチャネルを選局し、セレクタ２０は信号処理回路１８から出力された番組映像信号および番組音声信号をＴＶモニタ５０に出力する。この結果、チューナ１６によって選局されたチャネルの番組映像および番組音声がＴＶモニタ５０から出力される。
【００３７】
ステップＳ３３ではリモコン装置１４からモード情報を受信したか否かを判別し、ステップＳ３５ではリモコン装置１４からキー操作情報を受信したか否かを判別する。キー操作情報を受信したときは、ステップＳ３５からステップＳ３７に進み、このキー操作情報に従って動作設定を変更する。
【００３８】
モード情報を受信したときはステップＳ３３からステップＳ３９に進み、受信したモード情報が“リモコンモード”を示すか否かを判別する。ここでＹＥＳと判断されたときはステップＳ４１に進み、ＴＶモニタ５０の選択をセレクタ２０に要求する。一方、ＮＯと判断されたときはステップＳ４３に進み、エンコーダ２２の選択をセレクタ２０に要求する。ステップＳ４３が実行された場合、信号処理回路１８から出力された番組映像信号および番組音声信号は、エンコーダ２２におけるエンコード処理を経て、無線送信機２４から送信される。
【００３９】
ステップＳ４１またはＳ４３の処理が完了するとステップＳ４５に進み、ＡＣＫをリモコン装置１４に返送する。ＡＣＫの返送が完了すると、ステップＳ３３に戻る。
【００４０】
以上の説明から分かるように、リモコン装置１２のスイッチ４４は、外力が付加されたときオン状態に遷移し、外力が解除されたときオフ状態に遷移する。スイッチ４４がオン状態であれば番組映像がＬＣＤ３８に表示され、スイッチ４４がオフ状態であれば操作パネル映像がＬＣＤ３８に表示される。オペレータは、リモコン装置１４を手にしてスイッチ４４に外力を付加することで、ＴＶモニタ５０が見えない場所でも、リモコン装置によって番組映像を鑑賞することができる。
【００４１】
なお、リモコン装置１４が番組出力モードに移行すると、ＴＶモニタ５０が空き状態となる。このとき、ＴＶモニタ５０に内蔵されたチューナによって所望のチャネルを選局し、選局されたチャネルの番組をＴＶモニタ５０から出力するようにしてもよい。
【００４２】
また、この実施例では、スイッチ４４をリモコン装置１２の左側面に設けるようにしたが、オペレータが自然に（無理なく）把持するときに手が触れる位置である限り、リモコン装置１２の背面や下側面に設けるようにしてもよい。
【図面の簡単な説明】
【００４３】
【図１】この発明の一実施例の構成を示すブロック図である。
【図２】図１実施例に適用されるリモコン装置の一例を示す外観図である。
【図３】（Ａ）はリモコンモードが選択されたときにＬＣＤに表示される操作パネル映像の一例を示す図解図であり、（Ｂ）は番組出力モードが選択されたときにＬＣＤに表示される番組映像の一例を示す図解図である。
【図４】図１実施例に適用されるリモコン装置の動作の一部を示すフロー図である。
【図５】図１実施例の適用される本体装置の動作の一例を示すフロー図である。
【符号の説明】
【００４４】
１０  …テレビジョン受信機
１２  …本体装置
１４  …リモコン装置
２０，３６  …セレクタ
２２  …エンコーダ
２４  …無線送信機
３０  …無線受信機
３２  …デコーダ
３４  …キャラクタジェネレータ
３８  …ＬＣＤ
【図１】
2005236704.tif 000003
【図２】
2005236704.tif 000004
【図３】
2005236704.tif 000005
【図４】
2005236704.tif 000006
【図５】
2005236704.tif 000007